(57)【特許請求の範囲】
【請求項１】
第１の色座標系の画像データを第２の色座標系の画像データに変換する複数の色変換手段と、
転写材の搬送路に沿って所定間隔で配置され、前記色変換手段により変換された第２の色座標系の画像データに基づいて各色の画像の潜像を形成し、この潜像を現像した画像を前記転写材に重畳して転写する複数の画像形成手段と、
外部装置から第１の色座標系の画像データを入力する場合に前記画像形成手段の間隔及びラインピッチに応じて値が異なるアドレスの初期値を前記外部装置に設定する制御手段とを備え、
前記外部装置がこのアドレスの初期値に基づいて値が異なるアドレスを発生することにより前記外部装置からの第１の色座標系の画像データを前記複数の色変換手段の各々に取り込むことを特徴とする画像出力装置。
【請求項２】
前記複数の画像形成手段の間隔の誤差に応じてアドレスの調整値を入力する入力手段を備え、前記制御手段は前記入力手段を介して入力した調整値に基づいてアドレスの初期値を変更することを特徴とする請求項１記載の画像出力装置。
【請求項３】
前記制御手段は、外部装置から第２の色座標系の画像データが入力する場合に、前記画像形成手段の間隔に応じてタイミングがずれたフレーム信号を前記外部装置に出力することにより外部装置からの第２の色座標系の画像データを前記複数の画像形成手段の各々に取り込むことを特徴とする請求項１または２記載の画像出力装置。
【請求項４】
前記色変換手段に対して外部から入力する第１の色座標系の画像データの信号線とスキャナから入力する第１の色座標系の画像データの信号線が異なることを特徴とする請求項１ないし３のいずれかに記載の画像出力装置。
【発明の詳細な説明】
【０００１】
【発明の属する技術分野】
本発明は、複数の画像形成装置により各色の画像を用紙や中間転写材に重畳して転写する画像出力装置に関する。
【０００２】
【従来の技術】
従来、この種の装置としては、例えば特開昭５９−６２８７９号公報に示すように用紙の搬送路に沿って各々が感光体ドラム、帯電器、露光器、現像器、転写器などを有する複数の画像形成装置を配置し、Ｙ（イエロー）、Ｍ（マゼンタ）、Ｃ（シアン）、Ｋ（ブラック）の各トナー像を用紙上に重畳して転写することによりフルカラー画像を得る方式が知られている。このような方式では、用紙の搬送中に各色の画像形成が行われるので、用紙位置を検出するための位置センサを各装置の上流に設けることにより、各色の画像が用紙や中間転写材に重畳して転写されるように各色の画像形成タイミングを決定している。
【０００３】
【発明が解決しようとする課題】
しかしながら、上記従来の装置では、用紙位置を検出して複数の画像形成装置の各画像形成タイミングを決定するので、外部からのＲＧＢデータなどの第１の色座標系の画像データや、第２の色座標系であるＫＹＭＣデータを出力する場合に大容量のラインメモリを必要とするという問題点がある。
【０００４】
本発明は上記従来の問題点に鑑み、複数の画像形成装置が転写材の搬送路に沿って所定間隔で配置されている場合に、大容量のラインメモリを必要とすることなく外部からのＲＧＢデータなどの第１の色座標系の画像データやＫＹＭＣデータなどの第２の色座標系の画像データを出力することができる画像出力装置を提供することを目的とする。
【０００８】
【課題を解決するための手段】
第１の手段は、第１の色座標系の画像データを第２の色座標系の画像データに変換する複数の色変換手段と、転写材の搬送路に沿って所定間隔で配置され、前記色変換手段により変換された第２の色座標系の画像データに基づいて各色の画像の潜像を形成し、この潜像を現像した画像を前記転写材に重畳して転写する複数の画像形成手段と、外部装置から第１の色座標系の画像データを入力する場合に前記画像形成手段の間隔及びラインピッチに応じて値が異なるアドレスの初期値を前記外部装置に設定する制御手段とを備え、前記外部装置がこのアドレスの初期値に基づいて値が異なるアドレスを発生することにより前記外部装置からの第１の色座標系の画像データを前記複数の色変換手段の各々に取り込むことを特徴とする。
【０００９】
第２の手段は、第１の手段において前記複数の画像形成手段の間隔の誤差に応じてアドレスの調整値を入力する入力手段を備え、前記制御手段は前記入力手段を介して入力した調整値に基づいてアドレスの初期値を変更することを特徴とする。
【００１０】
第３の手段は、第１または第２の手段において、前記制御手段は、外部装置から第２の色座標系の画像データが入力する場合に、前記画像形成手段の間隔に応じてタイミングがずれたフレーム信号を前記外部装置に出力することにより外部装置からの第２の色座標系の画像データを前記複数の画像形成手段の各々に取り込むことを特徴とする。
【００１３】
第４の手段は、第１ないし第３の手段において前記色変換手段に対して外部から入力する第１の色座標系の画像データの信号線とスキャナから入力する第１の色座標系の画像データの信号線が異なることを特徴とする。
【００１４】
【発明の実施の形態】
以下、図面を参照して本発明の実施の形態を説明する。図１は本発明に係る画像出力装置の一実施形態を示すブロック図、図２は図１の画像出力装置が適用されたデジタル複写機を示す構成図、図３は図２のデジタル複写機を示す上面図、図４は図１の画像出力装置のＣＭＹＫ信号の出力タイミングを示す図、図５は図４のフェーズIVにおけるＲＧＢ信号の出力タイミングを示す図である。
【００１５】
先ず、図２及び図３を参照して本実施例の画像出力装置が適用されたデジタル複写機の構成について説明する。図３に示す原稿圧板１０１はプラテンカバー上に載置された原稿に圧力を加え、図２に示すコンタクトガラス２０２に原稿を密着させるための板状の部材である。また、その上面には複数のシート原稿を一枚ずつプラテンカバー上の基準位置まで自動的に搬送する自動原稿搬送装置２０１（図２）が配置されている。
【００１６】
操作部であるハードキー１０２と、表示器１０３とアプリケーションキー１０６は、装置の動作指定および使用者とのマンマシンＩ／Ｆをおこなうための入出力装置である。ハードキー１０２はキー入力するためのものであり、また、拡大して示すようにモードキー１０７と、モードクリアキー１０８とスタートキー１０９を有する。
【００１７】
表示器１０３は操作部上に配置されたＬＣＤのドットマトリックスによる表示装置であって設定状態の表示、使用者に対する設定の指示、および装置の異常を知らせる。編集装置（エディタ）１０４は原稿および複写中の座標位置を指定するための装置である。
【００１８】
コネクタ１０５はこの複写機と外部機器（アプリケーション）を接続するための接続端子であり、画像読み取り部で読み取った画像データのアプリケーションへの送信および制御信号の送受信をしたり、アプリケーションからの画像データを画像出力装置にて受信したり、制御信号を送受信したりするためのケーブルを接続する。アプリケーションキー１０６は表示器１０３の表示内容を複写機モード用表示とアプリケーションモード用表示に切り換えるための切り換えキーである。
【００１９】
図２において、部材２０１〜２１０は画像を入力するための画像読み取り（スキャナ）部を構成し、部材２１２〜２３４はスキャナ部２０１〜２１０から得られて画像処理されたデジタル画像データを用いて画像を用紙上に記録するプリンタ部を構成している。
【００２０】
スキャナ部の蛍光灯２０４とＣＣＤ２０５は主走査方向（図面の直交方向）に延びるようにキャリッジ２０３（画素読み取り装置）に搭載され、キャリッジ２０３はホームポジションセンサ２０６を基準として矢印で示すように副走査方向に移動する。蛍光灯２０４はコンタクトガラス２０２上の原稿を照明する光源であり、ＣＣＤ２０５は原稿の反射光を画素単位で電荷量に変換する光電変換装置であって原稿をライン単位で読み取る。したがって、原稿が二次元で読み取られ、デジタルデータに変換される。スキャナ制御装置２１０はキャリッジ２０３の制御、プリンタ部２１２〜２３４および外部装置との制御信号の制御を行う。
【００２１】
画像処理装置２０９は画素データに対して濃度変換等の処理を施し、記憶装置２０７および外部装置とのインターフェースボード２０８は画素読み取り装置２０３からの画素データを記憶装置２０７または外部装置へ送ったり、記憶装置２０７または外部装置からの画像データを受信する。記憶装置２０７はフロッピーディスク等の記録媒体に画像データを書き込んだり、画像データを読み込む。コネクタ２１１は前述したように外部装置と画像データおよび制御データを送受信するために用いられる。
【００２２】
システム制御装置２２８は本システム全体の制御をつかさどり、画像処理装置２２９はスキャナ部２０１〜２１０からの画像データに画像処理を施す。プリンタ制御装置２３０は用紙上に画像を出力するためにプリンタ部２１２〜２３４の制御を行う。プリンタ部２１２〜２３４は４系統で構成され、各レーザ出力装置２１２から発射されたレーザ光線はコリメータレンズ２１３によって集束され、ポリゴンミラー２２６、２２７により反射され、主走査方向に走査される。この光線はミラー２１４、シリンドリカルレンズ２１５を経て感光体２１６上に主走査方向に照射される。
【００２３】
感光体２１６はこの照射前に予め、帯電装置２１７によって一定のポテンシャルに帯電されており、レーザ光線が照射されることによりポテンシャルが上昇し、静電潜像が形成される。これに対して、現像器２１８のトナー担持体はその間のポテンシャルを有し、負に帯電しているトナーがポテンシャルの高い感光体上のレーザ照射部に付着する。また、感光体２１６は時計回り方向に回転し、レーザ出力装置２１２をオン／オフすることにより感光体２１６上の任意の場所にトナーを付着させ、したがって、潜像をトナーで可視化することが可能となる。
【００２４】
用紙は用紙トレイ２２４、２２５から給紙ローラ２２２、２２３によって選択されて給紙され、レジストローラ２２０まで運ばれ、レジストローラ２２０により感光体２１６上のトナー像に一致するように用紙搬送タイミングが正確に制御される。レジストローラ２２０を通過した用紙は搬送ベルト２２１により感光体２１６まで搬送され、感光体２１６上のトナー像が用紙上に転写される。転写後の感光体２１６の表面はクリーニング装置２１９によって初期化され、再び帯電装置２１７によって帯電される。また、クリーニング装置２１９によってクリーニングされたトナーは排トナータンク２３４に蓄積される。
【００２５】
図２に示すデジタルカラー複写機は４つの作像ユニットを有し、各作像ユニットは用紙の搬送方向に沿ってＫ、Ｙ、Ｍ、Ｃの順に配置されている。各ユニットは部材２１２〜２１９と同様の構成を有し、各色に対応した像を作製して用紙上に重ねることによりフルカラー画像を作製する。各色の転写後、分離チャージャ２３１によって搬送ベルト２２１から分離された用紙上のトナー像は定着装置２３２によって用紙上に定着され、定着後の用紙は排紙トレイ２３３上に排出される。
【００２６】
次に、図１を参照して本実施例の画像出力装置３００について詳細に説明する。この装置３００はスキャナ３１３により読み取られたＲ（レッド）、Ｇ（グリーン）、Ｂ（ブルー）又は外部装置３１２からのＲ、Ｇ、Ｂ及びＣ、Ｍ、Ｙ、Ｋの画像データを処理するように構成されている。スキャナ３１３又は外部装置３１２からのＲ、Ｇ、Ｂの各データは、画像出力装置３００内のＣ、Ｍ、Ｙの各色変換装置３０１〜３０３によりＲ、Ｇ、Ｂと補色関係になるＣ、Ｍ、Ｙに変換され、また、Ｋ色変換装置３０４によりＣ、Ｍ、ＹからＫが生成される。
【００２７】
画像処理装置３０５は良好な出力画像を得るために色変換装置３０１〜３０３又は外部装置３１２からのＣ、Ｍ、Ｙ、Ｋデータを加工する。なお、この装置３０５はＣ、Ｍ、Ｙ、Ｋそれぞれに独立して処理する回路と、それぞれのデータを密接に関係させて処理する回路より成る。Ｃ、Ｍ、Ｙ、Ｋの各画像形成装置３０６〜３０９は画像処理装置３０５により処理されたデータを記録部材３１０に出力し、その機構的構成は図２に示す作像ユニットである。すなわち、各画像形成装置３０６〜３０９は画像データに従ってレーザ出力装置２１２のレーザダイオードをオン、オフすることにより感光体２１６上に静電潜像を描き、この静電潜像を現像器２１８によりトナーで現像し、このトナー像を記録部材３１０に重畳するように転写する。
【００２８】
システム制御装置３１１は外部装置３１２からの画像データがＣ、Ｍ、Ｙ、Ｋの場合に、各画像形成装置３０６〜３０９に対応してＣ、Ｍ、Ｙ、Ｋの各画像の有効期間を示すフレームゲート信号ＦＧＡＴＥを外部装置３１２に出力する。すなわち、図４に示すようにシステム制御装置３１１は外部装置３１２に対して各画像形成装置３０６〜３０９の転写タイミングのずれ分だけ遅延した各フレームゲート信号ＦＧＡＴＥを出力し、外部装置３１２はＣ、Ｍ、Ｙ、Ｋのデータを当該フレームゲート信号ＦＧＡＴＥがオンになると出力を開始し、オフになると出力を停止する。
【００２９】
図４において、
フェーズＩの区間はＫのフレームゲート信号ＫＦＧＡＴＥがオンになった後Ｙのフレームゲート信号ＹＦＧＡＴＥがオンになるまでの区間、
フェーズIIの区間はＹのフレームゲート信号ＹＦＧＡＴＥがオンになった後Ｍのフレームゲート信号ＭＦＧＡＴＥがオンになるまでの区間、
フェーズIII の区間はＭのフレームゲート信号ＭＦＧＡＴＥがオンになった後Ｃのフレームゲート信号ＣＦＧＡＴＥがオンになるまでの区間、
フェーズIVの区間はＣのフレームゲート信号ＣＦＧＡＴＥがオンになった後Ｋのフレームゲート信号ＫＦＧＡＴＥがオフになるまでの区間、
フェーズＶの区間はＫのフレームゲート信号ＫＦＧＡＴＥがオフになった後Ｙのフレームゲート信号ＹＦＧＡＴＥがオフになるまでの区間、
フェーズVIの区間はＹのフレームゲート信号ＹＦＧＡＴＥがオフになった後Ｍのフレームゲート信号ＭＦＧＡＴＥがオフになるまでの区間、
フェーズVII の区間はＭのフレームゲート信号ＭＦＧＡＴＥがオフになった後Ｃのフレームゲート信号ＣＦＧＡＴＥがオフになるまでの区間
を示している。
【００３０】
ここで、図２に示す作像ユニットの配置が用紙の搬送方向に沿って、例えばＫを基準としてＹが８０ｍｍ、Ｍが１６０ｍｍ、Ｃが２４０ｍｍ離れており、また、用紙の搬送速度が８０ｍｍ／sec である場合、Ｋ、Ｙ、Ｍ、Ｃの各フレームゲート信号ＦＧＡＴＥのずれは１sec 、２sec 、３sec である。
【００３１】
これに対して、外部装置３１２からの画像データがＲ、Ｇ、Ｂの場合には、色変換装置３０１〜３０４により先ず色座標変換が行われる。この場合、外部装置３１２はシステム制御装置３１１が出力するアドレスに基づいてＲ、Ｇ、Ｂのデータを１画素毎に順に出力し、また、システム制御装置３１１はこのアドレスを画像形成装置３０６〜３０９が１画素処理する毎にＫからＹ、Ｍ、Ｃ用に順次変更する。
【００３２】
この時、主走査方向のアドレスは、同じ位置がリードされて処理されるので送信されず、外部装置３１２から画像出力装置３００に対してライン信号の始めからリードされる。したがって、送信アドレスがラインアドレスのみであるので物理的な信号線の数を低減することができ、また、ノイズの発生も低減することができる。なお、フレームゲート信号ＦＧＡＴＥもＣ、Ｍ、Ｙ、Ｋ入力の場合と同様に出力される。
【００３３】
更に、フェーズＩの区間ではＫデータ生成のためのＲＧＢデータのみがリードされ、アドレスはこの間は変化しない。フェーズIIの区間では１クロックの間にＫデータ生成用ＲＧＢデータのアドレスがＹデータ生成用ＲＧＢデータのアドレスに変更され、リード信号ＲＤによりリードされる。
【００３４】
この時のＫ用のアドレスはフェーズＩからの連続した値となり、Ｙ用はＫ用アドレスから作像ユニット間の距離（８０ｍｍ）とラインピッチ（例えば１６／ｍｍ）に応じた値（８０ｍｍ×１６／ｍｍ＝１２８０）を減じた値となる。フェーズIII の区間ではＫ用はフェーズIIからの連続した値、Ｙ用はＫ用アドレスから「１２８０」を減じた値、Ｍ用はＫ用アドレスから「２５６０」を減じた値となる。フェーズIVの区間ではＫ用はフェーズIII からの連続した値、Ｙ用はＫ用アドレスから「１２８０」を減じた値、Ｍ用はＫ用アドレスから「２５６０」を減じた値、Ｃ用はＫ用アドレスから「３８４０」を減じた値となる。図５はフェーズIVの区間の各信号のタイミングを示している。
【００３５】
この時、１クロックの間に４回アドレスが変更され、ＲＧＢの各リード信号によりＲＧＢデータの各々が外部装置３１２からリードされ、したがって、これらのリード信号に同期して色変換装置３０１〜３０４の各々が順番にＲＧＢデータをリードし、各々がずれたアドレスのＫ、Ｙ、Ｍ、Ｃの各データを生成する。
【００３６】
フェーズＶの区間ではＫ用ＲＧＢデータはリードされず、Ｙ用アドレスはフェーズIVからの連続した値、Ｍ用はＹ用アドレスから「１２８０」を減じた値、Ｃ用はＹ用アドレスから「２５６０」を減じた値となる。フェーズVIの区間ではＫ用、Ｙ用ＲＧＢデータはリードされず、Ｍ用アドレスはフェーズＶからの連続した値、Ｃ用はＭ用アドレスから「１２８０」を減じた値となる。最後のフェーズVII の区間ではＫ用、Ｙ用、Ｍ用ＲＧＢデータはリードされずにＣ用のみがリードされ、そのアドレスはフェーズVIからの連続した値となる。
【００３７】
さて、作像ユニットの間隔を８０ｍｍ丁度に調整することは困難であるので、アドレスのずれ量も上記値に固定するのは不都合である。そこで、作像ユニット間の距離の調整値を操作部１０２を介して入力し、その入力値に応じてシステム制御部３１１が上記アドレスのずれ量を変更する。例えばＫとＹの作像ユニットの間隔が８１ｍｍの場合にはラインピッチ＝１６／ｍｍとして「＋１６」が入力するとＹ用のアドレスをＫに対して１２８０＋１６＝１２９６減じた値に設定する。したがって、Ｙの作像ユニットがＫのそれより１ｍｍ余分に離れている場合にもＫとＹを画像を一致させることができる。
【００３８】
次に、図６を参照して第２の例を説明する。図６では図１に示すリード信号ＲＤとラインアドレスの構成のみが異なり、外部装置３１２からの画像データがＣ、Ｍ、Ｙ、Ｋの場合には、同様にシステム制御装置３１１は各画像形成装置３０６〜３０９に対応してＣ、Ｍ、Ｙ、Ｋの各画像の有効期間を示すフレームゲート信号ＦＧＡＴＥを外部装置３１２に出力する。
【００３９】
これに対し、外部装置３１２からの画像データがＲ、Ｇ、Ｂの場合には、外部装置３１２内部で主走査アドレスと副走査アドレスをカウントし、外部出力装置３００により指定されずにリードされる。この場合、画像形成の前に予めシステム制御部３１１から外部装置３１２に対してアドレスのずれ量、例えば作像ユニットの間隔が８０ｍｍ、用紙搬送速度が８０ｍｍ／sec の場合には「１２８０」、「２５６０」、「３８４０」がシリアルＩ／Ｆを介して送出される。
【００４０】
そして、外部装置３１２はこのずれ量に基づいてＫ、Ｙ、Ｍ、Ｃのアドレスを作成し、各アドレスに基づいてＲ、Ｇ、Ｂデータを色変換部３０１〜３０４に出力する。具体的には、Ｋ用のアドレスカウンタを初期値「０」にセットし、Ｙ、Ｍ、Ｃ用の各アドレスカウンタをそれぞれ「−１２８０」、「−２５６０」、「−３８４０」にセットし、システム制御部３１１からのＫのフレームゲート信号ＫＦＧＡＴＥがイネーブルされると各アドレスカウンタがカウントを開始し、１ライン分（主走査同期信号ｌsync）毎にカウントアップする。
【００４１】
ここで、マイナスのアドレスのＲＧＢデータは存在しないが、この間はＹ、Ｍ、Ｃのフレームゲート信号ＦＧＡＴＥがイネーブルされないので色変換部３０１〜３０４はデータを処理しない。また、図５に示すフェーズＶ〜VII に対応するフェーズでは、Ｋ用のＲＧＢデータが存在しないアドレスもあるが、フレームゲート信号ＦＧＡＴＥにより色変換部３０１〜３０４を制御するためにアドレスカウンタのカウントを継続する。その結果、作像ユニットの間隔に応じて画像形成タイミングがずれて用紙上には重畳して転写される。なお、作像ユニットの間隔が正確でない場合には、第１の例と同様に作像ユニット間の距離の調整値を操作部１０２を介して入力し、その入力値に応じてシステム制御部３１１が上記アドレスのずれ量を変更して外部装置３１２に通知する。
【００４２】
図７は第３の例を示し、図１、図６に示す画像処理部３０５とＣ、Ｍ、Ｙの画像形成装置３０６〜３０８の間にそれぞれ、作像ユニットの間隔に応じて画像データを遅延するための遅延メモリ６０６〜６０８が挿入されている。そして、外部装置３１２はＲＧＢデータ、Ｋ、Ｙ、Ｍ、Ｃデータに関係なくシステム制御部３１１からの同一タイミングのフレームゲート信号ＦＧＡＴＥに基づいて出力する。
【００４３】
そして、ＲＧＢデータの場合、図１に対して遅延メモリ６０６〜６０８を挿入した場合には、１クロックの間ではアドレスを変更せずにＣＭＹＫの各色変換部３０１〜３０４が同じデータをリードする。また、図６に対して遅延メモリ６０６〜６０８を挿入した場合には、予め設定されたずれ量を全て「０」にすることにより、外部装置３１２からリードされるＫ、Ｙ、Ｍ、Ｃ用の各ＲＧＢデータが同一画素のデータとなる。そして、Ｃ、Ｍ、Ｙのデータが作像ユニットの間隔に応じてそれぞれ遅延メモリ６０６〜６０８により遅延されるので転写画像が一致する。
【００４４】
図８は第４の例を示し、ＣＭＹＫの各色変換部３０１〜３０４に対してスキャナ３１３から入力するＲＧＢの信号線と、外部装置３１２から入力するＲＧＢの信号線が異なる。したがって、電磁波ノイズなどの影響を軽減することができ、また、色変換部３１０〜３０４が低速の場合にも対応することができる。
【００４８】
【発明の効果】
以上説明したように請求項１記載の発明によれば、外部装置からの画像データが第１の色座標系の場合に前記画像形成手段の間隔に応じて値が異なるアドレスの初期値を外部装置に設定し、外部装置がこのアドレスの初期値に基づいて値が異なるアドレスを発生することにより取り込むので、大容量のラインメモリを必要とすることなく外部からの第１の色座標系の画像データを出力することができる。
【００４９】
請求項２記載の発明によれば、複数の画像形成手段の間隔の誤差に応じてアドレスの調整値に基づいてアドレスの初期値を変更するので、複数の画像形成手段の設計と調整を容易にすることができる。
【００５０】
請求項３記載の発明によれば、外部装置からの画像データが第２の色座標系の場合に画像形成手段の間隔に応じてタイミングがずれたフレーム信号を外部装置に出力して取り込むので、大容量のラインメモリを必要とすることなく外部から第２の色座標系の画像データを出力することができる。
【００５３】
請求項４記載の発明によれば、外部から入力する第１の色座標系の画像データの信号線とスキャナから入力する第１の色座標系の画像データの信号線が異なるので、電磁波ノイズなどの影響を軽減することができ、また、色変換手段が低速の場合にも対応することができる。
【図面の簡単な説明】
【図１】本発明に係る画像出力装置の一実施形態を示すブロック図である。
【図２】図１の画像出力装置が適用されたデジタル複写機を示す構成図である。
【図３】図２のデジタル複写機を示す上面図である。
【図４】図１の画像出力装置のＣＭＹＫ信号の出力タイミングを示す図である。
【図５】図４のフェーズIVにおけるＲＧＢ信号の出力タイミングを示す図である。
【図６】第２の例の画像出力装置を示すブロック図である。
【図７】第３の例の画像出力装置を示すブロック図である。
【図８】第４の例の画像出力装置を示すブロック図である。
【符号の説明】
３００  画像出力装置
３０１〜３０４  色変換装置
３０６〜３０９  画像形成装置
３１１  システム制御部
３１２  外部装置
【図１】
0003686716.tif 000002
【図２】
0003686716.tif 000003
【図３】
0003686716.tif 000004
【図４】
0003686716.tif 000005
【図５】
0003686716.tif 000006
【図６】
0003686716.tif 000007
【図７】
0003686716.tif 000008
【図８】
0003686716.tif 000009